(57)【要約】【課題】棧形の防犯面格子において、縦棧と横棧の結合部分が破壊されると、これを電気的に検出して警報を発し、外部から侵入する犯罪を未然に防止することができる安全性の高い防犯面格子を提供する。【解決手段】面格子１の横棧２の内部に、縦棧３と交差する部分に位置するよう配置され、縦棧３と横棧２の結合が解かれるとこれを検出するスイッチ７を設け、同じく横棧２の内部に、前記スイッチ７と電気的に接続した電源及び発音器を設け、前記縦棧３と横棧２の結合が解かれてスイッチ７がこれを検出すると発音器が発音する。【選択図】図２
2007023756.tif 000002
【特許請求の範囲】
【請求項１】
縦棧と横棧を結合して組み合わせた面格子において、前記縦棧と横棧の何れか一方の内部に、縦棧と横棧の交差する部分に位置するよう配置され、縦棧と横棧の結合が解かれるとこれを検出するスイッチを設け、前記スイッチと電気的に接続した電源及び発音器を面格子の適所に設け、前記縦棧と横棧の結合が解かれてスイッチがこれを検出すると発音器が発音するようにしたことを特徴とする防犯面格子。
【請求項２】
上記縦棧と横棧の何れか一方の内部に設けたスイッチが、常時閉で縦棧と横棧の他方に端子を当接させることによって開となり、このスイッチを縦棧と横棧の各交差点の部分に位置するよう複数を配置し、各スイッチを並列状態に接続して電源と接続し、前記縦棧と横棧の結合が解かれて何れかのスイッチが閉になると発音器が通電によって発音するようにしたことを特徴とする請求項１に記載の防犯面格子。
【請求項３】
上記電源及び発音器の何れか一方又は両方が面格子の外部に配置されていることを特徴とする請求項１又は２に記載の防犯面格子。
【請求項４】
周枠と、この周枠の内側に棧材を設けて形成された面格子において、前記周枠と棧材の何れか一方の内部に、周枠と棧材の結合部分に位置するよう配置され、周枠と棧材の結合が解かれるとこれを検出するスイッチを設け、前記スイッチと電気的に接続した電源及び発音器を面格子の適所に設け、前記周枠と棧材の結合が解かれてスイッチがこれを検出すると発音器が発音するようにしたことを特徴とする防犯面格子。
【請求項５】
上記周枠と棧材の何れか一方の内部に設けたスイッチが、常時閉で周枠と棧材の他方に端子を当接させることによって開となり、このスイッチを周枠と棧材の各結合部分に位置するよう複数を配置し、各スイッチを並列状態に接続して電源と接続し、前記周枠と棧材の結合が解かれて何れかのスイッチが閉になると発音器が通電によって発音するようにしたことを特徴とする請求項４に記載の防犯面格子。
【請求項６】
上記電源及び発音器の何れか一方又は両方が面格子の外部に配置されていることを特徴とする請求項４又は５に記載の防犯面格子。
【発明の詳細な説明】
【技術分野】
【０００１】
この発明は、建物における窓等の開口部分の室外側に取り付け、外部からの侵入を防ぐために用いる面格子、更に詳しくは、面格子を破壊して侵入しようとした場合に、これを検知して警報を発することにより外部からの侵入を確実に防止することができるようにした防犯面格子に関する。
【背景技術】
【０００２】
建物における窓等の開口部分には、外部からの侵入を防ぐために、室外側に面格子を取り付けることが行われており、このような面格子は、外部からの侵入を困難にすることで防犯のために大きく貢献している。
【０００３】
上記面格子としては、複数本の縦棧と横棧の組み合わせからなる棧形の面格子と、周枠内に棧材を縦、横、斜め等に配置した枠形の面格子が多く採用されており、一般的にこのような面格子は、アルミ型材を材料に用いて組み立てられている。
【０００４】
従来、上記のような面格子の防犯機能を向上させる方法として、面格子の上部適当な位置に人体感知センサを取り付け、面格子に対して人が接近すると、これを感知して開錠を阻止するようにしたものが提案されている（例えば、特許文献１参照）。
【特許文献１】特開２００２−１８０７２７号公報
【発明の開示】
【発明が解決しようとする課題】
【０００５】
上記のような、人体感知センサによる人の接近を感知する方法は、感知の範囲に制限があり、感知範囲外の部分で面格子の取り外しや破壊が行われる危険性があり、また、外部から人体感知センサが作動しないように処理することも技術的に可能となるので、安全性の面で十分なものとはいえない。
【０００６】
ところで、縦棧と横棧の組み合わせからなる棧形の面格子や、周枠内に棧材を縦、横、斜め等に配置した枠形の面格子において、この面格子を破壊して室内に侵入しようとする場合、棧形や枠形の面格子の構造上、室外側に位置する棧材を躯体側に固定された棧材や枠体から取外す方法が最も簡単であり、実際にこのような方法での室内への侵入犯罪が増加している。
【０００７】
具体的には、縦棧と横棧のビスによる交差結合部分や、周枠に対する棧材の結合部分に、ドライバー等の工具を差し込んでこの結合部分を破壊し、室外側の棧材を取外すことで人が通れる条件をつくり、この後、窓等のガラスを割って開放することにより、室内に侵入するものであり、このような荒手の犯罪により、面格子を取り付けていても安心することができない事態になっている。
【０００８】
そこで、この発明の課題は、縦棧と横棧の組み合わせからなる棧形の面格子や、周枠内に棧材を縦、横、斜め等に配置した枠形の面格子において、縦棧と横棧や周枠と棧材の結合部分が破壊されると、これを電気的に検出して警報を発し、外部から侵入する犯罪を未然に防止することができる安全性の高い防犯面格子を提供することにある。
【課題を解決するための手段】
【０００９】
上記のような課題を解決するため、この発明は、縦棧と横棧を結合して組み合わせた面格子において、前記縦棧と横棧の何れか一方の内部に、縦棧と横棧の交差する部分に位置するよう配置され、縦棧と横棧の結合が解かれるとこれを検出するスイッチを設け、前記スイッチと電気的に接続した電源及び発音器を面格子の適所に設け、前記縦棧と横棧の結合が解かれてスイッチがこれを検出すると発音器が発音するようにした構成を採用したものである。
【００１０】
上記縦棧と横棧の何れか一方の内部に設けたスイッチが、常時閉で縦棧と横棧の他方に端子を当接させることによって開となり、このスイッチを縦棧と横棧の各交差点の部分に位置するよう複数を配置し、各スイッチを並列状態に接続して電源と接続し、前記縦棧と横棧の結合が解かれて何れかのスイッチが閉になると発音器が通電によって発音するようにしたり、上記電源及び発音器の何れか一方又は両方が面格子の外部に配置されている構造とすることができる。
【００１１】
また、別の発明は、周枠と、この周枠の内側に棧材を設けて形成された面格子において、前記周枠と棧材の何れか一方の内部に、周枠と棧材の結合部分に位置するよう配置され、周枠と棧材の結合が解かれるとこれを検出するスイッチを設け、前記スイッチと電気的に接続した電源及び発音器を面格子の適所に設け、前記周枠と棧材の結合が解かれてスイッチがこれを検出すると発音器が発音するようにした構成を採用したものである。
【００１２】
上記周枠と棧材の何れか一方の内部に設けたスイッチが、常時閉で周枠と棧材の他方に端子を当接させることによって開となり、このスイッチを周枠と棧材の各結合部分に位置するよう複数を配置し、各スイッチを並列状態に接続して電源と接続し、前記周枠と棧材の結合が解かれて何れかのスイッチが閉になると発音器が通電によって発音するようにしたり、上記電源及び発音器の何れか一方又は両方が面格子の外部に配置されている構造とすることができる。
【００１３】
ここで、同一の棧材や周枠内に位置する複数のスイッチは、この棧材や周枠内に収納した配線基板を用いて並列に接続し、上下又は両側に離れて位置する配線基板は棧材や周枠内に収めたコードで接続し、更に、配線基板やリード線を利用してスイッチと電源、発音器を接続し、縦棧と横棧の交差結合部分や周枠と棧材の結合部分が破壊されると、スイッチが閉となって発音器に電流が流れ、警報を発することで外部から侵入する犯罪を未然に防止する。
【発明の効果】
【００１４】
この発明によると、面格子における縦棧と横棧の交差する部分や周枠と棧材の結合部分の内部にスイッチを設け、このスイッチに電源及び発音器を接続したので、縦棧と横棧の結合部分や周枠と棧材の結合部分を破壊するとスイッチがこれを検出し、発音器が発音することになり、この発音で侵入せんとするものが逃げ出すか、家人や近隣の人に侵入を知らせることにより、外部から侵入する犯罪を未然に防止することができ、安全性の優れた防犯面格子となる。
【００１５】
また、スイッチや電源及び発音器は、面格子における棧材又は周枠と棧材の結合部分の内部に収納されているので、面格子の外部からその存在が全く分からず、面格子の意匠や美観を損なわないと同時に、外部からスイッチや電源及び発音器等を作動しないように事前に処理することが困難になり、防犯面格子による安全性の確保が確実に行える。
【発明を実施するための最良の形態】
【００１６】
以下、この発明の実施の形態を図示例と共に説明する。
【００１７】
図１乃至図７は、棧形の面格子を用いた防犯面格子の実施の形態を示し、面格子１は、上下に所定の間隔で平行配置した横棧２と、上下横棧２間の前面に一定の間隔で配置した多数本の縦棧３の組み合わせからなり、横棧２と各縦棧３の交点はビスやリベット等の締結具４によって結合されている。
【００１８】
上記横棧２は、図２のように、室内側に向く後面が開放し、室外側に向く面の上下コーナが弧状となるアルミ製筒状体２ａの開放面を同じくアルミ製の蓋板５で閉鎖した断面筒形に形成され、蓋板５は上下縁に設けた溝をアルミ製筒状体２ａの開口縁に嵌め込んで挿入することによって取付けられ、この横棧２の両端はキャップ６によって閉鎖されている。
【００１９】
また、縦棧３は、図４のように、室外側に向く面が弧状となる筒形断面のアルミ型材で形成され、両端はキャップ３ａによって閉鎖され、交差する横棧２との交点が外部から隠蔽状となる締結具４によって結合される。
【００２０】
上記の面格子１において、上下に位置する横棧２の内部で各縦棧３と横棧２の交差する部分の位置にスイッチ７を配置し、同じく横棧２の内部に、電池を用いた電源８と、ブザーを用いた発音器９と、この電源８と発音器９及び前記スイッチ７を電気的に接続する配線基板１０が組み込まれている。
【００２１】
図４のように、配線基板１０には各縦棧３と横棧２の交差する部分の位置にスイッチ７の取付け孔１１が設けてあり、図７（ａ）の回路図に示すように、スイッチ７はノーマリークローズのものを用い、横棧２の内部で縦棧３と横棧２の交差する部分の位置に配置した状態で、端子７ａが横棧２に設けた孔１２から縦棧３に当接することによって図７（ｂ）のように開状態となる。
【００２２】
各スイッチ７は、図７（ａ）、（ｂ）の回路図に示すように、接続回路１３、１３間に並列状態に接続し、一方の接続回路１３に直列の電源８と発音器９を接続し、接続回路１３、１３の一端をジャンパーピン１４の抜き差しによって開閉自在とし、接続回路１３の他端を一対のコネクター１５で他の配線基板１０の接続回路１３、１３と接続するようになっている。なお、一方の接続回路１３には、発音器９の発音確認を行うためのテストスイッチ１６が発音器９と並列に設けてある。
【００２３】
上記した電源８は、その取換えが簡単に行えるよう、図６のように、横棧２における蓋板５の一部を所定間隔で切り離し、この切り離し部分を一方蓋板５にヒンジで取付けた蓋部材１７によって開閉自在とし、この蓋部材１７の内面に電源８となる電池を着脱自在に取付ける電池ホルダー１８を設け、電池ホルダー１８内に電池を差し込めば、一方の接続回路１３と接続されるようになっている。
【００２４】
なお、蓋部材１７を閉位置にすれば、蓋板５の開口部分は閉じられ、面格子１を室外側から見ても蓋部材１７の存在はわからない状態となる。
【００２５】
上記した面格子１において、スイッチ７と電源８及び発音器９を接続した配線基板１０は、上下横棧２における一方に組み込み、他方の横棧２内の配線基板１０は接続回路１３にスイッチ７を並列に接続しただけで電源や発音器を省いたものとし、上下に位置する配線基板１０の接続回路１３を、コネクター１５を用いて縦棧３内を通して横棧２内に引き込んだコードで接続するようにすれば、使用する電源８や発音器９の数を削減することができて経済的である。
【００２６】
図示の場合、面格子１は、上下の横棧２をブラケットで窓用サッシや建物躯体側に固定する例を示したが、これとは別に、両側に配置した縦棧３を窓用サッシや建物躯体側に固定するようにし、この縦棧３の前面に多数の横棧２を並べて固定したタイプであってもよく、この場合、スイッチ７、配線基板１０や電源８、発音器９は縦棧内に収納すればよい。
【００２７】
また、配線基板１０や電源８、発音器９を横棧２又は縦棧３の内部に収納し、スイッチ７を横棧２又は縦棧３と窓用サッシや建物躯体への取付けブラケットとの結合部分に配置し、窓用サッシや建物躯体から防犯面格子１全体が取外された場合にも、発音が生じるようにしてもよい。
【００２８】
図８乃至図１１は、防犯面格子の他の実施の形態として、枠形の面格子を用いた例を示し、図８に示す例の面格子１は、上枠材２１と下枠材２２及び両側の側枠材２３で矩形状に組み立てられた枠部材２４の内側に多数本の縦棧２５を一定間隔の配置で固定し、図９に示す例の面格子１は、枠部材２４の内側に多数本の横棧２６を一定間隔の配置で固定し、図１０に示す例の面格子１は、枠部材２４の内側に多数本の傾斜棧２７を一定間隔の配置で交差するように固定し、図１１に示す例の面格子１は、枠部材２４の内側に多数本の縦棧２５と横棧２６を一定間隔の配置で交差するように固定した構造になっている。
【００２９】
これら、枠形の面格子１において、枠部材２４を形成する中空材の上枠材２１と下枠材２２及び両側の側枠材２３の何れかの内部で、縦棧２５や横棧２６及び傾斜棧２７の端部を結合した部分の位置に、端子が縦棧２５や横棧２６及び傾斜棧２７に当接するスイッチ７が配置され、更に、電源８と発音器９及びこれらを電気的に接続する配線基板１０が組み込み配置されている。
【００３０】
このように、枠部材２４を形成する中空材の内部に、スイッチ７と電源８、発音器９、配線基板１０を組み込み配置した場合、中空材の室内側に向く面の配線基板１０等と対応する位置に図６で示したように、扉式の開閉部を設け、電源８の交換と、電源交換後の発音テストが容易に行うことができるようにしておく。
【００３１】
図１２乃至図１４に示す防犯面格子の更に他の実施の形態は、面格子１に対して電源８と発音器９の何れか一方又は両方を、面格子１の外部に取付ける場合の例を示し、スイッチ７と配線基板１０は中空材の内部に収納し、外部に配置せんとする電源８と発音器９の何れか一方又は両方をボックス２８内に収め、スイッチ７と外部に配置したボックス２８内の電源８及び又は発音器９は、中空材の内部に納めたケーブルで接続すればよい。
【００３２】
なお、面格子１は、縦棧の枠形面格子を図示したが、図９乃至図１１で示した枠形面格子や、図１で示した棧形の面格子であってもよく、更に、ボックス２８の面格子１に対する取付け位置は、図１２の例に限るものではなく、面格子１のどの位置にでも取付けることができる。
【００３３】
図１２において、上記面格子１のボックス２８を取付けた部分は、側枠材２３と隣接する縦棧２５間の室外側に、金属板や樹脂板、硬質ガラス板等のガードプレート２９を張設し、ボックス２８をガードプレート２９で覆うことで室外側から見えないようにしたり手で触れることができないようにし、ボックス２８が破壊されたり取外されることのないようにしている。
【００３４】
図１５乃至図１８は、上述した各実施の形態の防犯面格子において、スイッチ７、電源８、発音器９と配線基板１０の関係とパターン及び、面格子１に対するこれらの組込みの異なる例を示している。
【００３５】
図１５は、所定の長さを有する配線基板１０に複数のスイッチ７と電源８を実装し、複数の配線基板１０を中間ケーブル３０で接続すると共に、別に用意したブザー基板３１に発音器９を実装し、配線基板１０とブザー基板３１の回路をコネクター３２で接続するようにしたものである。
【００３６】
図１６は、所定の長さを有する配線基板１０に複数のスイッチ７と電源８及び発音器９を実装し、複数の配線基板１０を中間ケーブル３０で接続するようにしたものである。
【００３７】
図１７は、所定の長さを有する配線基板１０に複数のスイッチ７を設け、外部ユニット基板３３に電源８と発音器９を実装すると共に、発音器９の発音確認を行うためのテストスイッチ１６を設け、配線基板１０と外部ユニット基板３３を中間ケーブル３０で接続するようにしたものであり、図１２で示したボックス２８内に収納された外部ユニット基板３３は、面格子１の外部に配置されることになる。
【００３８】
図１８は、配線基板１０を縦棧３と横棧２の結合部分に対して個々に配置するタイプであり、この配線基板１０に一つのスイッチ７を設け、各配線基板１０を中間ケーブル３０で必要数を順次接続するようにし、また、外部ユニット基板３３に電源８と発音器９を実装すると共に、発音器９の発音確認を行うためのテストスイッチ１６を設け、配線基板１０と外部ユニット基板３３を中間ケーブル３０で接続するようにしたものであり、図１２のボックス２８内に収納された外部ユニット基板３３は、面格子１の外部に配置されることになる。
【００３９】
なお、各実施の形態において、スイッチ７は、ノーマリークローズの構造を例示したが、例えば、電磁リレーのような他の構造のスイッチ類を用いるようにしてもよく、また、図示省略したが、面格子１の適当な位置やボックス２８に、電池が寿命になると、これを知らせるための電源切れの表示ランプを設けるようにすることができる。
【００４０】
この発明の防犯面格子は、上記のような構成であり、次に、図１乃至図７の実施の形態を用いて作用を説明する。
【００４１】
図２と図３のように、面格子１を建物の開口部における室外側に取り付け、開口部からの侵入を阻止して防犯を担うものである。
【００４２】
建物の開口部における室外側に面格子１を取付けた通常の状態で、横棧２内の各スイッチ７は図５（ｂ）のごとく端子７ａが縦棧３に当接することによって、図７（ｂ）の回路図に示すように開状態となり、発音器９に対する通電がオフとなっている。このように、各スイッチ７にノーマリークローズのものを用いると、通常の状態で電源８の消費はなく、電源８の長寿命化が図れるという利点がある。
【００４３】
上記の状態で面格子１の縦棧３と横棧２の結合部分を工具で破壊して外部から侵入しようとすると、縦棧３が横棧２から取外されることにより、取外された縦棧３で押し込まれていたスイッチ７の端子７ａが押し込みを解かれることになり、このため、スイッチ７は自動的に閉状態となる。
【００４４】
図７（ｂ）の開状態にある各スイッチ７の内の一つでも自動的に閉状態になると、発音器９に対する電源８からの通電がオンとなって発音器９が発音することになり、この発音で侵入せんとするものが逃げ出すか、家人や近隣の人に侵入を知らせることにより、防犯面格子１を破壊して外部から侵入する犯罪を未然に防止することができ、安全性の高い防犯面格子となる。
【００４５】
なお、発音器９の発音を止めるには、図７の場合、横棧２の端部キャップ６を外し、配線基板１０に設けたジャンパーピン１４を抜き取ればよい。
【図面の簡単な説明】
【００４６】
【図１】この発明に係る防犯面格子の棧形の面格子を用いた実施の形態を示す正面図
【図２】図１の防犯面格子の窓への取り付け状態を示す縦断面図
【図３】図１の防犯面格子の窓への取り付け状態を示す横断面図
【図４】図１の防犯面格子のスイッチ組込み部分の構造を示す分解斜視図
【図５】（ａ）は図１の防犯面格子のスイッチ組込み部分の縦棧がない状態の縦断面図、(ｂ)は縦棧がある状態の縦断面図
【図６】横棧に対する電源組み込み部分の構造を示す斜視図
【図７】（ａ）はスイッチと電源及び発音器の接続回路を示す防犯面格子への組込み前の状態を示す回路図、（ｂ）は同防犯面格子への組込み後の通常の状態を示す回路図
【図８】この発明に係る防犯面格子において、縦棧タイプの枠形面格子の実施の形態を示す正面図
【図９】この発明に係る防犯面格子において、横棧タイプの枠形面格子の実施の形態を示す正面図
【図１０】この発明に係る防犯面格子において、傾斜棧タイプの枠形面格子の実施の形態を示す正面図
【図１１】この発明に係る防犯面格子において、縦棧と横棧が交差するタイプの枠形面格子の実施の形態を示す正面図
【図１２】この発明に係る防犯面格子の電源と発音器を外部に配置した実施の形態の正面図
【図１３】図１２の防犯面格子の窓への取り付け状態を示す拡大した縦断側面図
【図１４】図１２の防犯面格子の窓への取り付け状態を示す拡大した横断平面図
【図１５】（ａ）は配線基板の第１のパターンを示す回路図、（ｂ）はこの配線基板を組み込んだ面格子の正面図
【図１６】（ａ）は配線基板の第２のパターンを示す回路図、（ｂ）はこの配線基板を組み込んだ面格子の正面図
【図１７】（ａ）は配線基板の第３のパターンを示す回路図、（ｂ）はこの配線基板を組み込んだ面格子の正面図
【図１８】（ａ）は配線基板の第４のパターンを示す回路図、（ｂ）はこの配線基板を組み込んだ面格子の正面図
【符号の説明】
【００４７】
１        防犯面格子
２        横棧
３        縦棧
４        締結具
５        蓋板
６        キャップ
７        スイッチ
８        電源
９        発音器
１０      配線基板
１１      取付け孔
１２      孔
１３      接続回路
１４      ジャンパーピン
１５      コネクター
１６      テストスイッチ
１７      蓋部材
１８      電池ホルダー
２１      上枠材
２２      下枠材
２３      側枠材
２４      枠部材
２５      縦棧
２６      横棧
２７      傾斜棧
２８      ボックス
２９      ガードプレート
３０      中間ケーブル
３１      ブザー基板
３２      コネクター
３３      外部ユニット基板
【図１】
2007023756.tif 000003
【図２】
2007023756.tif 000004
【図３】
2007023756.tif 000005
【図４】
2007023756.tif 000006
【図５】
2007023756.tif 000007
【図６】
2007023756.tif 000008
【図７】
2007023756.tif 000009
【図８】
2007023756.tif 000010
【図９】
2007023756.tif 000011
【図１０】
2007023756.tif 000012
【図１１】
2007023756.tif 000013
【図１２】
2007023756.tif 000014
【図１３】
2007023756.tif 000015
【図１４】
2007023756.tif 000016
【図１５】
2007023756.tif 000017
【図１６】
2007023756.tif 000018
【図１７】
2007023756.tif 000019
【図１８】
2007023756.tif 000020